(57)【特許請求の範囲】
【請求項１】
撮影される被写界の光学像を画像情報に変換する撮像装置と、
前記撮像装置によって撮像された画像を記録用紙に視認可能にプリント出力するプリンタ装置とが接続されたプリントシステムであって、
用紙内に余白を残さない縁無し印刷モード、または、用紙内に余白を残す縁あり印刷モードのいずれかを印刷実行の指示前に設定する設定手段と、
印刷実行の指示が入力されたことに応じて、前記プリンタ装置に装着されている用紙に関する情報を取得する取得手段と、
前記取得手段により取得した用紙サイズと、前記設定手段により設定された印刷モードに応じて、印刷対象の画像をリサイズする際に目標とする目標サイズを設定する目標サイズ設定手段と、
前記目標サイズとなるようにリサイズ率を算出し、印刷対象の画像をリサイズするリサイズ手段と、
前記リサイズ手段によりリサイズした画像に基づいてプリントデータを生成するプリントデータ生成手段とを有し、
前記目標サイズ設定手段は、前記設定手段により縁無し印刷モードが設定されている場合は、前記目標サイズを前記用紙サイズよりも大きいサイズとし、前記設定手段により縁あり印刷モードが設定されている場合は、前記目標サイズを前記用紙サイズよりも小さいサイズとし、
前記リサイズ手段は、
前記印刷対象の画像の横サイズをＸｉ、縦サイズをＹｉとし、前記プリンタ装置に装着されている用紙の横方向のサイズをＸｐ、縦方向のサイズをＹｐとし、前記目標サイズの横方向のサイズをＸｔ、縦方向のサイズをＹｔとすると、
Ｙｉ／ＹｔおよびＸｉ／Ｘｔを算出し、前記縁無し印刷モードに設定されている場合は、Ｙｉ／ＹｔまたはＸｉ／Ｘｔのうちの小さい方をリサイズ率として選択し、前記縁あり印刷モードに設定されている場合は、Ｙｉ／ＹｔまたはＸｉ／Ｘｔのうちの大きい方をリサイズ率として選択するリサイズ率選択手段と、
前記印刷対象の画像のアスペクト比および目標サイズのアスペクト比がＹｉ／Ｘｉ＞Ｙｔ／Ｘｔである場合は、前記縁無し印刷モードに設定されているときは横方向基準と決定し、前記縁あり印刷モードに設定されているときは縦方向基準と決定し、前記印刷対象の画像のアスペクト比および目標サイズのアスペクト比がＹｉ／Ｘｉ＜Ｙｔ／Ｘｔである場合は、前記縁無し印刷モードに設定されているときは縦方向基準と決定し、前記縁あり印刷モードに設定されているときは横方向基準と決定する基準決定手段とを有し、
前記リサイズ率選択手段で選択したリサイズ率と前記基準決定手段で決定した基準とに基づいて、前記印刷対象の画像をリサイズすることを特徴とするプリントシステム。
【請求項２】
画像の一部を印刷対象の画像としてトリミングするためのトリミング手段と、
前記撮像装置の表示手段に、トリミングされる領域を示す枠を表示するための枠表示手段とを有し、
前記枠表示手段は、前記目標サイズと同じアスペクト比の枠を表示することを特徴とする請求項１に記載のプリントシステム。
【請求項３】
撮影される被写界の光学像を画像情報に変換する撮像手段を備え、前記撮像手段によって撮像された画像を記録用紙に視認可能にプリント出力するプリンタ装置と通信可能とされた撮像装置であって、
用紙内に余白を残さない縁無し印刷モード、または、用紙内に余白を残す縁あり印刷モードのいずれかを印刷実行の指示前に設定する設定手段と、
印刷実行の指示が入力されたことに応じて、前記プリンタ装置に装着されている用紙に関する情報を取得する取得手段と、
前記取得手段により取得した用紙サイズと、前記設定手段により設定された印刷モードに応じて、印刷対象の画像をリサイズする際に目標とする目標サイズを設定する目標サイズ設定手段と、
前記目標サイズとなるようにリサイズ率を算出し、印刷対象の画像をリサイズするリサイズ手段と、
前記リサイズ手段によりリサイズした画像に基づいてプリントデータを生成するプリントデータ生成手段とを有し、
前記目標サイズ設定手段は、前記設定手段により縁無し印刷モードが設定されている場合は、前記目標サイズを前記用紙サイズよりも大きいサイズとし、前記設定手段により縁あり印刷モードが設定されている場合は、前記目標サイズを前記用紙サイズよりも小さいサイズとし、
前記リサイズ手段は、
前記印刷対象の画像の横サイズをＸｉ、縦サイズをＹｉとし、前記プリンタ装置に装着されている用紙の横方向のサイズをＸｐ、縦方向のサイズをＹｐとし、前記目標サイズの横方向のサイズをＸｔ、縦方向のサイズをＹｔとすると、
Ｙｉ／ＹｔおよびＸｉ／Ｘｔを算出し、前記縁無し印刷モードに設定されている場合は、Ｙｉ／ＹｔまたはＸｉ／Ｘｔのうちの小さい方をリサイズ率として選択し、前記縁あり印刷モードに設定されている場合は、Ｙｉ／ＹｔまたはＸｉ／Ｘｔのうちの大きい方をリサイズ率として選択するリサイズ率選択手段と、
前記印刷対象の画像のアスペクト比および目標サイズのアスペクト比がＹｉ／Ｘｉ＞Ｙｔ／Ｘｔである場合は、前記縁無し印刷モードに設定されているときは横方向基準と決定し、前記縁あり印刷モードに設定されているときは縦方向基準と決定し、前記印刷対象の画像のアスペクト比および目標サイズのアスペクト比がＹｉ／Ｘｉ＜Ｙｔ／Ｘｔである場合は、前記縁無し印刷モードに設定されているときは縦方向基準と決定し、前記縁あり印刷モードに設定されているときは横方向基準と決定する基準決定手段とを有し、
前記リサイズ率選択手段で選択したリサイズ率と前記基準決定手段で決定した基準とに基づいて、前記印刷対象の画像をリサイズすることを特徴とする撮像装置。
【請求項４】
画像の一部を印刷対象の画像としてトリミングするためのトリミング手段と、
該撮像装置の表示手段に、トリミングされる領域を示す枠を表示するための枠表示手段とを有し、
前記枠表示手段は、前記目標サイズと同じアスペクト比の枠を表示することを特徴とする請求項３に記載の撮像装置。
【請求項５】
撮像装置によって撮像された画像をプリンタ装置により記録用紙に視認可能にプリント出力するためのプリント出力方法であって、
用紙内に余白を残さない縁無し印刷モード、または、用紙内に余白を残す縁あり印刷モードのいずれかを印刷実行の指示前に設定する設定手順と、
印刷実行の指示が入力されたことに応じて、前記プリンタ装置に装着されている用紙に関する情報を取得する取得手順と、
前記取得手順により取得した用紙サイズと、前記設定手順により設定された印刷モードに応じて、印刷対象の画像をリサイズする際に目標とする目標サイズを設定する目標サイズ設定手順と、
前記目標サイズとなるようにリサイズ率を算出し、印刷対象の画像をリサイズするリサイズ手順と、
前記リサイズ手順によりリサイズした画像に基づいてプリントデータを生成するプリントデータ生成手順とを有し、
前記目標サイズ設定手順では、前記設定手順により縁無し印刷モードが設定されている場合は、前記目標サイズを前記用紙サイズよりも大きいサイズとし、前記設定手順により縁あり印刷モードが設定されている場合は、前記目標サイズを前記用紙サイズよりも小さいサイズとし、
前記リサイズ手順では、
前記印刷対象の画像の横サイズをＸｉ、縦サイズをＹｉとし、前記プリンタ装置に装着されている用紙の横方向のサイズをＸｐ、縦方向のサイズをＹｐとし、前記目標サイズの横方向のサイズをＸｔ、縦方向のサイズをＹｔとすると、
Ｙｉ／ＹｔおよびＸｉ／Ｘｔを算出し、前記縁無し印刷モードに設定されている場合は、Ｙｉ／ＹｔまたはＸｉ／Ｘｔのうちの小さい方をリサイズ率として選択し、前記縁あり印刷モードに設定されている場合は、Ｙｉ／ＹｔまたはＸｉ／Ｘｔのうちの大きい方をリサイズ率として選択するリサイズ率選択手順と、
前記印刷対象の画像のアスペクト比および目標サイズのアスペクト比がＹｉ／Ｘｉ＞Ｙｔ／Ｘｔである場合は、前記縁無し印刷モードに設定されているときは横方向基準と決定し、前記縁あり印刷モードに設定されているときは縦方向基準と決定し、前記印刷対象の画像のアスペクト比および目標サイズのアスペクト比がＹｉ／Ｘｉ＜Ｙｔ／Ｘｔである場合は、前記縁無し印刷モードに設定されているときは縦方向基準と決定し、前記縁あり印刷モードに設定されているときは横方向基準と決定する基準決定手順とを有し、
前記リサイズ率選択手順で選択したリサイズ率と前記基準決定手順で決定した基準とに基づいて、前記印刷対象の画像をリサイズすることを特徴とするプリント出力方法。
【請求項６】
画像の一部を印刷対象の画像としてトリミングするためのトリミング手順と、
前記撮像装置の表示手段に、トリミングされる領域を示す枠を表示するための枠表示手順とを有し、
前記枠表示手順では、前記目標サイズと同じアスペクト比の枠を表示することを特徴とする請求項５に記載のプリント出力方法。
【発明の詳細な説明】
【０００１】
【発明の属する技術分野】
本発明は、熱転写記録方式プリンタやインクジェット記録方式プリンタを用いるプリントシステム、撮像装置及びプリント出力方法に関し、より具体的には静止画を記録するスチルカメラやビデオカメラ等の撮像装置によって撮像された画像をプリント出力するのに好適なプリントシステムに関するものである。
【０００２】
【従来の技術】
従来から印画用紙に感熱型の用紙を用い、主走査方向に配列された複数個の発熱体を選択的に駆動して、用紙を副走査方向に搬送することで、用紙にドットライン状に印画を行うライン熱転写記録方式のプリンタがある。
【０００３】
近年、入力側としてのデジタルカメラやデジタルビデオカメラ、またはスキャナ等の画像を扱う入力機器の進歩に伴い、プリンタ手段として熱転写記録方式のプリンタ装置も注目されている。その理由は、インクジェットプリンタが液滴を飛ばすか飛ばさないかという２値の選択しかないために、小さな液滴を用紙へ着弾させて、誤差拡散等の手法でみかけの解像度と階調性を得ようとするのに対して、熱転写記録方式のプリンタの場合には１つの画素において制御可能な熱の値を容易に変更できるため、１つの画素に対する階調性が多く取ることが可能になるので、インクジェットプリンタに比べて滑らかで高画質な画像を得ることができるという点が挙げられる。
【０００４】
また、サーマルヘッドの性能や用紙材料の性能も向上したために、仕上がり品位で銀塩写真にも見劣りしない画像プリントを得ることが可能になっている。近年のデジタルカメラの進歩に歩調を合わせるように、特に自然画像用のプリンタとして注目されている。また、そのインクジェットプリンタも液滴の微細化が進み、実質的に熱転写記録方式に引けを取らない高画質の画像の出力が可能になってきている。
【０００５】
そこで、こうしたプリンタ装置とデジタルカメラやデジタルビデオカメラ等の撮像装置を直接的に接続したり、一体的に構成したりして、撮影された画像情報をコンピュータ等の画像情報を処理する機器を介すことなくプリントするシステムも登場している。これらのシステムによれば、デジタルカメラやデジタルビデオからの画像情報を簡単に写真的にプリント出力することが可能になり、大変便利である。
【０００６】
これらの一例として、例えば特開平１０−２４３３２７号公報では画像入力装置と画像出力装置の接続について述べられている。これによれば、画像出力装置と画像入力装置とを接続してなる画像入出力システムであって、画像出力装置は、画像入力装置からの画像信号を受信して出力するとともに、画像入力装置に電力を供給する電源部を有する。また画像入力装置は、画像出力装置に画像データを送信し、かつ画像出力装置から電源電力の供給を受けるための接続ケーブルにより画像出力装置と接続され、画像出力装置から電力供給を受けることの可否を判定する判定手段と、電源部とを有する。
【０００７】
そして、判定手段により、画像出力装置から電力供給を受けられると判定された場合は、画像出力装置からの電力を用い、電力供給を受けられないと判定された場合は、電源部からの電力を用いるというものである。これによれば画像出力装置から電力の供給が受けられるので、デジタルカメラ等の画像入力装置の電源の残量を気にすることなくプリント出力できるので極めて効果的である。
【０００８】
また、特開平９−６５１８２号公報の複合カメラでは、プリント時の電力省電について述べている。これによれば電子ビューファインダを有し、かつ映像情報を記録媒体へ記録する撮影手段と、映像情報を記録紙へプリント出力するプリンタ手段とを一体化した複合カメラが記述される。プリンタ手段が記録紙へ映像情報をプリント出力している間は、電子ビューファインダへ電力を供給するのを停止するよう制御する制御手段を設けたものである。これによればプリント中は電子ビューファインダへの電力供給をしないので、節電に役立つというものであり、極めて効果的である。
【０００９】
【発明が解決しようとする課題】
ところで、一般のプリンタ装置では、印刷するサイズと記録用紙サイズとは独立に指定されるため、記録用紙に見合ったサイズで印刷がなされないといった不具合があった。
【００１０】
前記従来例に記したプリンタ装置とデジタルカメラ等の撮像装置とのシステムにおいても、プリンタが扱うことのできる記録用紙が複数種である場合に、その記録用紙種によって、撮像装置からの画像情報を記録用紙に見合った大きさにリサイズ（画像の拡大もしくは縮小処理）した方が使い勝手が良い。
【００１１】
また、撮像装置に保存されている画像の一部を切り出して印刷する機能がある場合には、プリンタ装置に装着されている記録用紙毎に電子ビューファインダ上に印刷される領域を枠で囲んで表示すると、ユーザは印刷される領域を視覚的に認識することができ便利である。
【００１２】
本発明は前記のような問題点を考慮したものであり、記録用紙サイズが複数種であっても、また、プリントスタイルが選択可能とされていても、最適なプリントデータを生成して良好なプリント出力を行えるようにすることを目的とするものである。
【００１３】
【課題を解決するための手段】
本発明のプリントシステムは、撮影される被写界の光学像を画像情報に変換する撮像装置と、前記撮像装置によって撮像された画像を記録用紙に視認可能にプリント出力するプリンタ装置とが接続されたプリントシステムであって、用紙内に余白を残さない縁無し印刷モード、または、用紙内に余白を残す縁あり印刷モードのいずれかを印刷実行の指示前に設定する設定手段と、印刷実行の指示が入力されたことに応じて、前記プリンタ装置に装着されている用紙に関する情報を取得する取得手段と、前記取得手段により取得した用紙サイズと、前記設定手段により設定された印刷モードに応じて、印刷対象の画像をリサイズする際に目標とする目標サイズを設定する目標サイズ設定手段と、前記目標サイズとなるようにリサイズ率を算出し、印刷対象の画像をリサイズするリサイズ手段と、前記リサイズ手段によりリサイズした画像に基づいてプリントデータを生成するプリントデータ生成手段とを有し、前記目標サイズ設定手段は、前記設定手段により縁無し印刷モードが設定されている場合は、前記目標サイズを前記用紙サイズよりも大きいサイズとし、前記設定手段により縁あり印刷モードが設定されている場合は、前記目標サイズを前記用紙サイズよりも小さいサイズとし、前記リサイズ手段は、前記印刷対象の画像の横サイズをＸｉ、縦サイズをＹｉとし、前記プリンタ装置に装着されている用紙の横方向のサイズをＸｐ、縦方向のサイズをＹｐとし、前記目標サイズの横方向のサイズをＸｔ、縦方向のサイズをＹｔとすると、Ｙｉ／ＹｔおよびＸｉ／Ｘｔを算出し、前記縁無し印刷モードに設定されている場合は、Ｙｉ／ＹｔまたはＸｉ／Ｘｔのうちの小さい方をリサイズ率として選択し、前記縁あり印刷モードに設定されている場合は、Ｙｉ／ＹｔまたはＸｉ／Ｘｔのうちの大きい方をリサイズ率として選択するリサイズ率選択手段と、前記印刷対象の画像のアスペクト比および目標サイズのアスペクト比がＹｉ／Ｘｉ＞Ｙｔ／Ｘｔである場合は、前記縁無し印刷モードに設定されているときは横方向基準と決定し、前記縁あり印刷モードに設定されているときは縦方向基準と決定し、前記印刷対象の画像のアスペクト比および目標サイズのアスペクト比がＹｉ／Ｘｉ＜Ｙｔ／Ｘｔである場合は、前記縁無し印刷モードに設定されているときは縦方向基準と決定し、前記縁あり印刷モードに設定されているときは横方向基準と決定する基準決定手段とを有し、前記リサイズ率選択手段で選択したリサイズ率と前記基準決定手段で決定した基準とに基づいて、前記印刷対象の画像をリサイズする点に特徴を有する。
【００１４】
本発明の撮像装置は、撮影される被写界の光学像を画像情報に変換する撮像手段を備え、前記撮像手段によって撮像された画像を記録用紙に視認可能にプリント出力するプリンタ装置と通信可能とされた撮像装置であって、用紙内に余白を残さない縁無し印刷モード、または、用紙内に余白を残す縁あり印刷モードのいずれかを印刷実行の指示前に設定する設定手段と、印刷実行の指示が入力されたことに応じて、前記プリンタ装置に装着されている用紙に関する情報を取得する取得手段と、前記取得手段により取得した用紙サイズと、前記設定手段により設定された印刷モードに応じて、印刷対象の画像をリサイズする際に目標とする目標サイズを設定する目標サイズ設定手段と、前記目標サイズとなるようにリサイズ率を算出し、印刷対象の画像をリサイズするリサイズ手段と、前記リサイズ手段によりリサイズした画像に基づいてプリントデータを生成するプリントデータ生成手段とを有し、前記目標サイズ設定手段は、前記設定手段により縁無し印刷モードが設定されている場合は、前記目標サイズを前記用紙サイズよりも大きいサイズとし、前記設定手段により縁あり印刷モードが設定されている場合は、前記目標サイズを前記用紙サイズよりも小さいサイズとし、前記リサイズ手段は、前記印刷対象の画像の横サイズをＸｉ、縦サイズをＹｉとし、前記プリンタ装置に装着されている用紙の横方向のサイズをＸｐ、縦方向のサイズをＹｐとし、前記目標サイズの横方向のサイズをＸｔ、縦方向のサイズをＹｔとすると、Ｙｉ／ＹｔおよびＸｉ／Ｘｔを算出し、前記縁無し印刷モードに設定されている場合は、Ｙｉ／ＹｔまたはＸｉ／Ｘｔのうちの小さい方をリサイズ率として選択し、前記縁あり印刷モードに設定されている場合は、Ｙｉ／ＹｔまたはＸｉ／Ｘｔのうちの大きい方をリサイズ率として選択するリサイズ率選択手段と、前記印刷対象の画像のアスペクト比および目標サイズのアスペクト比がＹｉ／Ｘｉ＞Ｙｔ／Ｘｔである場合は、前記縁無し印刷モードに設定されているときは横方向基準と決定し、前記縁あり印刷モードに設定されているときは縦方向基準と決定し、前記印刷対象の画像のアスペクト比および目標サイズのアスペクト比がＹｉ／Ｘｉ＜Ｙｔ／Ｘｔである場合は、前記縁無し印刷モードに設定されているときは縦方向基準と決定し、前記縁あり印刷モードに設定されているときは横方向基準と決定する基準決定手段とを有し、前記リサイズ率選択手段で選択したリサイズ率と前記基準決定手段で決定した基準とに基づいて、前記印刷対象の画像をリサイズする点に特徴を有する。
【００１５】
本発明のプリント出力方法は、撮像装置によって撮像された画像をプリンタ装置により記録用紙に視認可能にプリント出力するためのプリント出力方法であって、用紙内に余白を残さない縁無し印刷モード、または、用紙内に余白を残す縁あり印刷モードのいずれかを印刷実行の指示前に設定する設定手順と、印刷実行の指示が入力されたことに応じて、前記プリンタ装置に装着されている用紙に関する情報を取得する取得手順と、前記取得手順により取得した用紙サイズと、前記設定手順により設定された印刷モードに応じて、印刷対象の画像をリサイズする際に目標とする目標サイズを設定する目標サイズ設定手順と、前記目標サイズとなるようにリサイズ率を算出し、印刷対象の画像をリサイズするリサイズ手順と、前記リサイズ手順によりリサイズした画像に基づいてプリントデータを生成するプリントデータ生成手順とを有し、前記目標サイズ設定手順では、前記設定手順により縁無し印刷モードが設定されている場合は、前記目標サイズを前記用紙サイズよりも大きいサイズとし、前記設定手順により縁あり印刷モードが設定されている場合は、前記目標サイズを前記用紙サイズよりも小さいサイズとし、前記リサイズ手順では、前記印刷対象の画像の横サイズをＸｉ、縦サイズをＹｉとし、前記プリンタ装置に装着されている用紙の横方向のサイズをＸｐ、縦方向のサイズをＹｐとし、前記目標サイズの横方向のサイズをＸｔ、縦方向のサイズをＹｔとすると、Ｙｉ／ＹｔおよびＸｉ／Ｘｔを算出し、前記縁無し印刷モードに設定されている場合は、Ｙｉ／ＹｔまたはＸｉ／Ｘｔのうちの小さい方をリサイズ率として選択し、前記縁あり印刷モードに設定されている場合は、Ｙｉ／ＹｔまたはＸｉ／Ｘｔのうちの大きい方をリサイズ率として選択するリサイズ率選択手順と、前記印刷対象の画像のアスペクト比および目標サイズのアスペクト比がＹｉ／Ｘｉ＞Ｙｔ／Ｘｔである場合は、前記縁無し印刷モードに設定されているときは横方向基準と決定し、前記縁あり印刷モードに設定されているときは縦方向基準と決定し、前記印刷対象の画像のアスペクト比および目標サイズのアスペクト比がＹｉ／Ｘｉ＜Ｙｔ／Ｘｔである場合は、前記縁無し印刷モードに設定されているときは縦方向基準と決定し、前記縁あり印刷モードに設定されているときは横方向基準と決定する基準決定手順とを有し、前記リサイズ率選択手順で選択したリサイズ率と前記基準決定手順で決定した基準とに基づいて、前記印刷対象の画像をリサイズする点に特徴を有する。
【００１９】
【発明の実施の形態】
以下、図面を参照して、本発明のプリントシステム、撮像装置、プリント出力方法、プログラム、及びコンピュータ読み取り可能な記憶媒体の実施の形態を説明する。
【００２０】
（第１の実施の形態）
以下、図１〜４を参照して第１の実施の形態について説明する。本実施の形態のプリントシステムでは、プリンタ手段に昇華型の熱転写記録方式のプリンタ装置を採用し、電子的な画像の情報を任意なプリント枚数分プリント出力することができる。このプリントシステムについて手順に従って説明する。
【００２１】
熱転写記録方式のプリンタ装置の一例について、図面を参照して具体的に説明する。図１は、プリンタ装置の側面の構成模式図である。まず、プリンタ装置の全体構成について説明すると、装置本体１には記録紙Ｐを積載した用紙カセット２から給紙ローラ３で記録紙Ｐが１枚ずつ分離給送される。この際、記録紙Ｐはバネ２０によって付勢された押上げ板２１によって給紙ローラ３に当接している。そして、給紙ローラ３によって搬送された記録紙Ｐは、搬送ローラ対４で挟持搬送されて記録部を往復可能にしている。搬送ローラ対４は、ピンチローラ４２とグリップローラ４１で構成されている。
【００２２】
記録部においては記録紙搬送経路を挟んで、プラテンローラ５と記録情報に応じて発熱するサーマルヘッド６が対向している。インクカセット７に収納される熱溶融性または熱昇華性インクを塗布したインク層と印画面を保護するために印画面上にオーバコートされるオーバコート層とを持つインクシート８を、サーマルヘッド６によって記録紙Ｐに押圧するとともに、選択的に加熱することにより記録紙Ｐに所定画像を転写記録し、保護層をオーバコートする。
【００２３】
インクシートは、記録紙Ｐの印画領域を覆ってそのサイズと略等しいサイズでイエロー(Ｙ)、マゼンタ(Ｍ)、シアン(Ｃ)の各インク層とオーバコート(ＯＰ)層が並べて設けられたものであり、各層ずつ熱転写しては、記録紙Ｐを記録開始位置に戻し、記録紙上に順次重ねて転写される。このように記録紙Ｐは搬送ローラ対4により、各色インクおよびオーバコート層の数だけ往復される。
【００２４】
この際、各インク層の印画後の記録紙Ｐは装置本体１前方で反転され、用紙カセット前方部および下部のガイド部を介して装置本体１の後方へ導紙される。装置本体１前方で反転されるために、印画途中の記録紙Ｐが外部に出ることによるスペースの無駄や意図せずに触ってしまうようなことがなく、設置場所の省スペース化等を可能にしている。しかも、用紙カセット２の下部を紙ガイドとして直接利用していることによって、装置本体１の厚さを薄くすることが可能になる。また、記録紙Ｐをインクカセット７と用紙カセット２に挟まれた空間を通すことで、装置本体１の全高を最小限にとどめることが可能であり、これにより装置の小型化を可能にしている。
【００２５】
２５は用紙カセット２の用紙搬送ガイド部である。装置本体１前方から反転されてきた記録紙Ｐを、装置本体１後方に反転させるガイド部であり、この用紙カセット２に具備することで装置本体１全体の小型化に大きく寄与している。また２６は印画されて排紙された記録紙Ｐの排紙トレイ部であり、用紙カセット２の上面が兼用しており、これも装置本体１の小型化に寄与している。
【００２６】
各インク層の印画終了後に、記録紙Ｐは排紙ローラ９ａ、９ｂへ案内され、装置本体１後方から前方に向かって排出され記録動作が終了する。排出ローラ９ａは記録紙Pの排出動作時のみ圧接するように構成され、印画中にはストレスがかからないように構成されている。なお、装置本体１には記録紙Ｐのガイド部１５が構成されており、記録紙Ｐを導紙している。１５ａは搬送路切替えシートであり、記録紙Ｐが給紙された後は記録紙Ｐは排出側の経路に導紙されるようになっている。
【００２７】
また、印画用のサーマルヘッド６はヘッドアーム２２に一体的に具備されており、インクカセット７を交換する場合にはインクカセット７の抜き差しに支障ない位置まで退避する。この退避動作は、インクカセット７の交換が用紙カセット２を引き抜くと可能になる。この際、用紙カセット２の着脱動作に連動してヘッドアーム２２は、そのカム部によって押さえられている状態から、用紙カセット２のカム部が退避していくことで上下動するように構成されている。
【００２８】
熱転写記録方式のプリンタ装置ではＹＭＣ３色を３回面順次で記録するため、各色の記録先端を正確に合致させる制御が必要となる。このためには、図１に示す搬送ローラ対４で記録紙Ｐを離さず、しっかり挟持して搬送を行う必要がある。このため記録紙Ｐの送り方向の端部には、記録不可能な余白部が必要となる。この点に鑑みて終的に容易に、縁のない印画物を得るために、図３に示すように記録紙Ｐには、記録開始時に搬送ローラ対４でしっかり挟持され、記録できない余白部１６を後で容易に手で切取り可能とするためのミシン目１２が設けられる。
【００２９】
本実施の形態では、上述したミシン目１２を持つ記録紙Ｐと熱転写記録方式のプリンタ装置を用いて実施され、前記記録紙Ｐに設けられたミシン目１２の領域にはオーバコートするものとする。また、左下がり斜線で示す領域は印画の領域（印画領域１７）であり、ミシン目１２を含む領域を印画するように制御される。オーバコートは略印画される領域であり、かつ印画される領域よりもやや大きく印画される領域を含んで印画するように制御される。
【００３０】
以下さらに、プリンタ装置に関わる詳しい説明をする。図１に示すプリンタ装置において、搬送ローラ対４は、ピンチローラ４２とグリップローラ４１からなる。このグリップローラ４１は、図示しないステッピングモータの出力軸が減速機構を介して直結され、該ステッピングモータの回転制御により、正逆転自在に駆動される。記録紙Ｐは搬送ローラ対４によりしっかりと挟持され、往復搬送されるものであるから、記録紙Ｐもまた、ステッピングモータの回転制御により、正確に位置制御され搬送駆動される。
【００３１】
いま、一例としてサーマルヘッド６による１ライン分の記録ピッチを８５μmとし、記録紙Ｐを１ライン分搬送するためのステッピングモータのステップ数を４ステップとする。このとき記録紙Ｐは、ステッピングモータを４ステップで回転制御することにより、１ライン（すなわち８５μm）搬送することができる。図４に示した印画範囲は搬送方向において１４４mmであるとすると、１６９４ライン印画可能であり、記録紙をこの分搬送するためには、ステッピングモータを６７７６ステップ分回転させればよい。
【００３２】
図１に示すプリンタ装置において、給紙ローラ３から給紙ローラ対４を見て給紙ローラ対４の近傍の位置に記録紙先端検出センサ１０が置かれる。これにより記録紙Ｐの先端を検出し、その検出後、搬送ローラ対４で挟持できる範囲で所定ラインを送り停止させる。この位置が前述の記録開始時の位置となる。ここからまず最初のＹイエローからサーマルヘッドを記録情報に応じて発熱駆動し、各色インクの所定画像を記録し、またはオーバコート層を転写する。１色が終わるとつぎにこの位置から記録紙を排紙ローラ９のある方向に戻して搬送し、再び所定のライン数を戻し送り、ＹＭＣ各色およびオーバコート層転写を４回繰り返す。
【００３３】
図１に示す装置本体１において、記録紙先端検出センサ１０と、プラテンローラ５およびサーマルヘッド６により記録紙Ｐを押圧する位置との距離は、装置内の部品配置を考慮し、記録紙Ｐ上の距離で２０mmに設定したが、これに限られるものではない。このとき図３に示す印画物は、下記のように各色インクを転写記録し、またオーバコート層を転写することにより得られる。
【００３４】
図２のフローチャートにおいて、色インク転写およびオーバコートシーケンスを説明する。
ステップＳ１：ユーザは、図示しないプリントボタンもしくはデジタルカメラやデジタルビデオカメラからの印画指示等によってプリント動作を指示する。
ステップＳ２：装置本体１内部の処理回路１８は、プリント指示を実行した機器との通信を開始し、処理回路１８ではプリント指示を実行した機器との間でプリントに必要な諸条件の確認や、必要であれば画像情報の印画情報への画像処理を行う。
【００３５】
ステップＳ３：印画準備ができたらＣＰＵ等によって構成される制御手段は、給紙ローラ３に連結されたモータを駆動して記録紙Ｐを給紙開始する。
ステップＳ４：記録紙Ｐの先端検出後、ステッピングモータを所定ステップ分回転させ、印画を開始する。このとき印画開始位置は、記録紙先端を基準として、１２．４６５ｍｍとした。
ステップＳ５：引き続き、ステッピングモータを４ステップ分回転しながら、サーマルヘッドを発熱駆動し１ライン分の印画を行う。全部で６７７６ステップ分（１６９４ライン分）回転させ、印画を終了する。このときの印画終了位置は、記録紙先端を基準として、１５６．４５５ｍｍとなる。
【００３６】
ステップＳ６：ついで、停止にいたるまでの減速のため、ステッピングモータを１０ライン分（４０ステップ）程回転させ、停止させる。
ステップＳ７：この状態から、ステッピングモータを逆転駆動し、記録紙Ｐを印画時と逆方向に搬送する。所定のステップ数（６７７６ステップ減速分）だけ戻して、さらに減速のため所定のライン数の１０ライン分（４０ステップ分）程回転させ、停止させる。
【００３７】
ステップＳ８：前記動作をＹＭＣ３色分、３回程繰返し、所望の印画像を記録紙Ｐに転写記録する。
ステップＳ９：その後、さらに１回、印画面保護のためのオーバコート層を転写する。
ステップＳ１０：その後、ステッピングモータを逆転駆動して、そのまま排出ローラ３へ導き、排出ローラ３の駆動で用紙を排出して一連の動作を終了させる。
【００３８】
また、前記において制御手段は記録紙Ｐの給紙時に、最初に記録紙先端検出センサ１０で検知した記録紙の先端検出信号を基に、ステッピングモータのステップ数と記録紙Ｐの搬送時における位置関係に基づいて、ステッピングモータの回転駆動のステップ数を、全印画記録時において管理する。そして、これにより記録位置管理を行うとしたが、これに限らず各ＹＭＣ色およびオーバコート層の転写記録時において、記録紙先端部に検出センサを設けて記録紙の先端検出を行ってもよい。そして、その信号を基準として、ステッピングモータの回転駆動のステップ数を管理することにより、記録位置管理を行う構成としてもよい。
【００３９】
また、前記においてオーバコート層の転写は、サーマルヘッドの発熱駆動のＯＮ／ＯＦＦのみで行うように記述したが、オーバコートの転写開始時では、徐々に発熱量を増加させ、またオーバコートの転写終了時には、徐々に発熱量を減少させることにより得るような制御を加えることも可能である。
【００４０】
さて、ここで本発明に関わる内容についてさらに詳細に述べる。前述のステップＳ２のプリント指示を実行する機器と、プリンタ装置との通信について更に詳述する。一例として、いまプリント指示を実行するのはデジタルカメラＤＣとして説明する。
【００４１】
図４はデジタルカメラＤＣとプリンタ装置の装置本体１とを接続してある模式図である。デジタルカメラＤＣは撮影後に該デジタルカメラＤＣ内部のメモリに画像情報が保持するものとする。メモリはコンパクト（Ｒ）フラッシュカードやスマートメデイアといった着脱自由なものが便利である。
【００４２】
いま、デジタルカメラＤＣのモードを設定して、任意の画像を再生させるものとする。画像情報の再生は、デジタルカメラＤＣの具備する液晶表示装置によって随時確認できるので、ユーザは撮影された好きな画像情報を任意に呼び出すことが可能である。
【００４３】
ケーブル２７や無線手段によってプリンタ装置と通信可能な状態であると、所定のプリント実行ボタン（図不示）によってデジタルカメラＤＣからプリンタ装置へ必要な情報が通信され、プリンタ装置からプリント出力が得られるというものである。
【００４４】
前記必要な情報としては、デジタルカメラＤＣとのネゴシエーションの情報、デジタルカメラＤＣからのプリントすべき画像の情報や画像情報に記録時または記録後から付加された情報等である。
【００４５】
図５は、本実施の形態における印刷動作を示すフローチャートである。実行ボタンが押下されると（ステップＳ５０１）、プリンタ装置に装着されている記録用紙種が検出されてデジタルカメラＤＣに送信される（ステップＳ５０２）。この記録用紙情報を受けて、デジタルカメラＤＣは記録用紙サイズに見合った大きさにリサイズするために記録用紙サイズ毎にリサイズ処理ステップＳ５０６〜Ｓ５０８が振り分けられる（ステップＳ５０３〜Ｓ５０５）。もし、デジタルカメラＤＣが対応していない記録用紙サイズがプリンタ装置から指定された場合は、エラーとして処理され、印刷は行われない（ステップＳ５０９）。
【００４６】
ステップＳ５０６〜Ｓ５０８それぞれにおいてリサイズ処理された画像データは、プリントデータとして加工生成され、プリンタ装置に送信されて印刷が行われる（ステップＳ５１０）。
【００４７】
ここで、ステップＳ５０６〜Ｓ５０８において実行されるリサイズ処理について詳述する。デジタルカメラＤＣに保存されている画像データをプリンタ装置に装着されている記録用紙サイズにリサイズする場合、記録用紙内に余白を残す縁あり印刷か、全面印刷を行う縁無し印刷かでリサイズ目標値が変わってくる。縁無し印刷、縁あり印刷の指定は印刷実行前にプリントスタイルとしてユーザが設定する。
【００４８】
図６を参照して、縁あり印刷と縁無し印刷とによるリサイズ目標値の違いについて説明する。図６（Ａ）は縁無し印刷時の記録用紙サイズXpaper、Ypaperとリサイズ目標値Xtarget、Ytargetとの関係を図示したものである。縁無し印刷であるため、リサイズ目標値を記録用紙サイズより大きく設定し、印刷時に余白が残らないようにしている。
【００４９】
図６（Ｂ）は縁あり印刷時の縦横の記録用紙サイズXpaper、Ypaperと縦横のリサイズ目標値Xtarget、Ytargetとの関係を図示したものである。縁あり印刷であるため、記録用紙サイズよりリサイズ目標値を小さく設定し、印刷時に余白が残るようにしている。
【００５０】
以上、プリントスタイルによってリサイズ目標値が変わることについて述べてきたが、記録用紙サイズによってもリサイズ目標値は変わるため、プリンタ装置が扱う全ての記録用紙サイズとプリントスタイルとによるリサイズ目標値があらかじめデジタルカメラＤＣに用意されている。
【００５１】
本実施の形態では、サイズ１〜３の３サイズについて扱うことができる構成になっているが、扱う記録用紙種分だけのリサイズ目標値を備えていれば、用紙種の数に制限はない。
【００５２】
次に、図７を参照して、図７（Ａ）〜（Ｄ）では記録用紙に余白を残さない縁無し印刷、図７（Ｅ）〜（Ｈ）では記録用紙に余白を残す縁あり印刷でのリサイズ方法について説明する。
【００５３】
図７中の記号の意味は、
Ximg        横方向リサイズ前画像サイズ
Yimg        縦方向リサイズ前画像サイズ
Xpaper      横方向記録用紙サイズ
Ypaper      縦方向記録用紙サイズ
Xtarget      横方向リサイズ目標値
Ytarget      縦方向リサイズ目標値
である。
【００５４】
（縁無し印刷の場合）
縁無し印刷の場合は、記録用紙内に余白を作らないため、図６でも説明したように、Ypaper＜Ytarget、Xpaper＜Xtargetとなり、Yimg/Ytarget、Ximg/Xtargetのどちらか小さい方向を基準として拡大もしくは縮小率（リサイズ率）を選択する。
【００５５】
図７（Ａ）はデジタルカメラＤＣに保存されている画像データのアスペクト比Yimg/Ximgがリサイズ目標値のアスペクト比Ytarget/Xtargetより大きい場合を示す。この場合、
Yimg/Ximg＞Ytarget/Xtarget
Yimg/Ytarget＞Ximg/Xtarget
Ytarget＜Yimg＊Xtarget/Ximg
となり、横方向基準（X基準）でリサイズする。
【００５６】
X基準でリサイズすると縦方向（Y方向）はリサイズ目標値Ytargetより大きくなるので縦方向の画像データをカットしてリサイズ目標値Ytargetに合わせることになり、図７（Ｂ）に示すような画像データが生成される。
【００５７】
図７（Ｃ）はデジタルカメラＤＣに保存されている画像データのアスペクト比Yimg/Ximgがリサイズ目標値のアスペクト比Ytarget/Xtargetより小さい場合を示す。この場合、
Yimg/Ximg＜Ytarget/Xtarget
Yimg/Ytarget＜Ximg/Xtarget
Xtarget＜Ximg＊Ytarget/Yimg
となり、縦方向基準（Y基準）でリサイズする。
【００５８】
Y基準でリサイズすると横方向（X方向）はリサイズ目標値Xtargetより大きくなるので横方向の画像データをカットしてリサイズ目標値Xtargetに合わせることになり、図７（Ｄ）に示すような画像データが生成される。
【００５９】
（縁あり印刷の場合）
縁あり印刷の場合は、デジタルカメラＤＣに保存されている画像データの全ての領域を記録用紙サイズYpaper、Xpaper内に収まるような値をリサイズ目標値とするため、図６でも説明したように、Ypaper＞Ytarget、Xpaper＞Xtargetとなり、Yimg/Ytarget、Ximg/Xtargetのどちらか大きい方向を基準としてリサイズ率として選択する。
【００６０】
図７（Ｅ）はデジタルカメラＤＣに保存されている画像データのアスペクト比Yimg/Ximgがリサイズ目標値のアスペクト比Ytarget/Xtargetより大きい場合を示す。この場合、
Yimg/Ximg＞Ytarget/Xtarget
Yimg/Ytarget＞Ximg/Xtarget
となるので、縦方向基準（Y基準）でリサイズすると、図７（Ｆ）に示すような画像データが生成される。
【００６１】
図７（Ｇ）はデジタルカメラＤＣに保存されている画像データのアスペクト比Yimg/Ximgがリサイズ目標値のアスペクト比Ytarget/Xtargetより小さい場合を示す。この場合、
Yimg/Ximg＜Ytarget/Xtarget
Yimg/Ytarget＜Ximg/Xtarget
となるので、横方向基準（X基準）でリサイズすると、図７（Ｈ）に示すような画像データが生成される。
【００６２】
以上リサイズ処理について述べてきたが、次に図８を参照して、デジタルカメラＤＣに保存されている画像データの一部を切り出して印刷するトリミング処理時のリサイズ処理について説明する。図８（Ａ）はデジタルカメラＤＣに保存されている画像データを表す。
【００６３】
図８（Ｂ）は図８（Ａ）に示す画像データから一部をXimgwindow1、Yimgwindow1の枠で切り出してリサイズ目標値Xtarget、Ytargetにリサイズした画像データである。
【００６４】
図８（Ｃ）は図８（Ａ）に示す画像データから一部をXimgwindow2、Yimgwindow2の枠で切り出して図８（Ｂ）と同じリサイズ目標値Xtarget、Ytargetにリサイズした画像データである。
【００６５】
図８（Ａ）の画像切り出し枠のアスペクト比は等しく、
Yimgwindow1/Ximgwindow1＝Yimgwindow2/Ximgwindow2
の関係がある。
【００６６】
図８（Ｂ）、（Ｃ）では、画像切り出し枠のアスペクト比を保ったまま大きさを変えることによってXtarget、Ytargetにリサイズされる画像の倍率が変わり、任意に設定可能であることを示している。トリミング処理の場合、プリンタ装置に装着されている記録用紙種と設定されているプリントスタイルとからリサイズ目標値が一意に決まるため、画像切り出し枠サイズをXimgwindow、Yimgwindowとすると、画像切り出し枠のアスペクト比をリサイズ目標値のアスペクト比Yimgwindow/Ximgwindowと同じになるように設定しておけば、図７で説明したような条件判断が不要となり、リサイズ率は
Xtarget/Ximgwindow = Ytarget/Yimgwindow
となる。トリミング処理時にデジタルカメラＤＣが持つ電子ビューファインダ上に、この画像切り出し枠を表示すれば、ユーザは視覚的にトリミング領域を確認することが可能で、大変使い勝手が良い。トリミング指定は、先に述べた縁あり印刷、縁あり印刷の選択と合わせて印刷実行前にユーザが行う。
【００６７】
（第２の実施の形態）
以下、図を参照して、本発明の第２の実施の形態について説明する。なお、第１の実施の形態と同一の構成要素には同一の符号を付し、その詳細な説明は省略する。第２の実施の形態では、デジタルカメラ等の撮像装置に一体的にプリンタ部を備えた例である。かかるプリンタ付撮像装置では、撮影に応じてその場ですぐにプリントを行うことが可能である。以下、少なくとも扱うことのできる記録用紙が２種以上である装置を想定している。
【００６８】
本実施の形態の撮像装置は、プリンタ部にインクジェット記録方式を採用し、電子的な撮像をメモリに蓄えるのとともに、任意のメモリに蓄えられた映像情報を任意なプリント枚数分プリント出力することができるものである。
【００６９】
まず、基本的な撮影とプリントに関わるフローを、図９に示すブロック図と図１０に示すフローチャートと図１１に示す撮像装置の一具体例とを参照して説明する。撮影者が電源スイッチ２０００を入力すると（ステップＳ２００１）、制御手段５００１は該装置が前回使用されて、電源がオフされてから３日以上（７２時間以上）経過しているか否かを判断する（ステップＳ２００２）。もしも３日以上経過している場合には、制御手段５００１はプリンタ部の制御を受け持つプリンタ制御部５００５に回復ポンピングの指示を出して、プリンタエンジン部５００４を駆動する（ステップＳ２００３）。
【００７０】
ここで回復ポンピングは、後述するインクジェット記録方式のプリンタ部においてより記録を有効にするものであって、用紙への記録を行う事前に記録ヘッドを吸引ポンプ等の手段によってクリーニングするものである。このクリーニングの目安として本実施の形態においては３日間以上の未使用期間があった場合の電源入力時に、これを行うものとした。
【００７１】
さて撮影者が撮影を行う場合、スイッチ５００９をカメラモード５００９ａとするとともに、撮影モード設定手段５００７を用いて撮影モードの設定を行う（ステップＳ２００４）。本実施の形態では通常の撮影モードとポートレートモード等の数種類のモードを有する。撮影モード設定手段５００７は具体的にはモード切換えスイッチ２０１５にて行われ、この信号が制御手段５００１に伝わる。撮影者が撮影に際してズームレバー２０１６による画角の調整後、シャッタボタン２０１２を第１ストロークまで押し込むと、ＳＷ１信号５０１０が入力する（ステップＳ２００５）。制御手段５００１は撮像制御部５００３を介して撮像部５００２を駆動し、露出制御値の決定や測距情報の決定、ストロボ発光の有無等露出動作に必要な諸条件の決定を行う（ステップＳ２００６）。撮影者が実際に撮影を実行するために、さらにシャッタボタン２０１２を押し込むと、制御手段５００１にはＳＷ２信号５０１１が入力する（ステップＳ２００７）。
【００７２】
制御手段５００１は撮像制御部５００３を介して撮像部５００２を駆動して焦点合せのためのレンズ駆動やシャッタの速度制御、絞りの開口量制御また必要であれば、ストロボの発光等の一連の露光動作を行う（ステップＳ２００８）。固体撮像素子１０４０に入力する画像情報を一時保存メモリ手段５０１３に取り込む（ステップＳ２００９）。その後、制御手段５００１は表示手段５００８、具体的には液晶表示板２０１４を駆動して、撮影された画像情報を表示する（ステップＳ２０１０）。メモリ手段５０１３に保存されている画像データの一部を切り出して印刷するトリミング処理時には、制御手段５００１は液晶表示板２０１４にそのトリミング領域を表示する。トリミング領域は装着されている記録用紙種と選択されているプリントスタイルとから決まるリサイズ目標値のアスペクト比と同じアスペクト比で表示することにより実際に印刷される領域を表示する。撮影動作としては、以上を繰り返すことになる。
【００７３】
さて、撮影者がプリント出力を所望した場合には、スイッチ５００９をプリントモード５００９ｂとするとともに、プリント出力のモード設定をモード設定手段５００６によって行う（ステップＳ２０１１）。次に、メモリ手段５０１３に取り込まれた画像情報を、画像送りボタン１１０、画像戻りボタン１０９によって液晶表示板２０１４を見ながら検索して、プリント出力したい画像情報を表示する。ここでプリントボタン２０１３を押すと、プリント信号ＰＲ５０１２が入力し、制御手段５００１はプリント動作を開始する（ステップＳ２０１２）。
【００７４】
制御手段５００１は、印刷開始に先立ち、本体に装着されている記録用紙サイズを記録用紙サイズ検出部５０１４を介して検出する（ステップＳ２０１３）。制御手段５００１は検出された記録用紙サイズ情報に基づいてメモリ手段５０１３に保存されている画像データから本体に装着されている記録用紙サイズに見合った印画データを生成するために、あらかじめ記録用紙サイズ毎に決められているリサイズ目標値にリサイズする（ステップＳ２０１４）。このリサイズ処理の内容は、前記第１の実施の形態で説明したので、ここではその詳細な説明は省略する。
【００７５】
プリンタ制御部５００５は記録用紙記録ヘッド４００のホームポジション位置で、プリント動作をより有効にするために、まず予備吐出を行い、記録ヘッド４００の目詰まりを解消したり、蒸発しているノズルを回復させたりする（ステップＳ２０１５）。
【００７６】
次に、プリンタ制御部５００５はメモリ手段１３に蓄えられた映像情報をプリンタ出力用の画像処理を加えた上で、プリンタエンジン部５００４から出力する（ステップＳ２０１６）。プリンタエンジン部５００４でプリントされた印画済みプリンタ用紙１０２４ａは、ロール状に巻かれたプリント用紙１０２４と切り離される位置まで自動的に給紙され、排出される（ステップＳ２０１７）。
【００７７】
ここで、キャリッジＨＣは駆動モータ１０１３の正転逆転に連動して、駆動力伝達ギア１０１１、１０１０、１００９を介して回転するリードスクリュー１００４の螺旋溝１００５に対して係合するピン（図示せず）を有し、矢印ａ、ｂ方向に往復運動される。
【００７８】
キャリッジＨＣにはインクジェットヘッドカートリッジ４００が装着される。１００３はガイド棒、１００２は紙押さえ板であり、キャリッジの移動方向に亘って紙をプラテン１０００に対して押圧する。１００７、１００８はフォトカプラであり、キャリッジのレバー１００６のこの域での存在を確認して、モータ１０１３の回転方向の切替え等を行うためのホームポジション検知手段である。１０１６は記録ヘッドの前面をキャップするキャップ部材１０２２を支持する部材、１０１５はこのキャップ内を吸引する吸引手段であり、キャップ内開口１０２３を介して、記録ヘッド４００の吸引回復を行う。
【００７９】
１０１７はクリーニングブレード、１０１９はこのブレードを前後方向に移動可能にする部材であり、本体支持板１０１８にこれらは支持されている。ブレードは、この形態でなく周知のクリーニング方法が適用可能である。また、１０２１は吸引回復の吸引を開始するためのレバーであり、吸引手段の面１０１４と当接する。レバー１０２１はキャリッジと係合するカム１０２０の移動に伴って移動し、駆動モータからの駆動力がクラッチ切替え等の伝達手段で移動制御される。
【００８０】
これらのキャッピング、クリーニング、吸引回復はキャリッジＨＣがホームポジション側領域に位置づけられたときに、リードスクリュー１００５の作用によってそれらの対応位置で所望の処理が行えるように構成されているが、周知のタイミングで所望の動作を行うようにすれば、いずれにも本発明に適用することができる。
【００８１】
図１２は、本実施の形態のプリンタ付撮像装置の中央断面の概念図である。カメラ部は沈胴型の２段式の鏡筒１０２９、１０３０について、各々撮影光学系のレンズユニット１０２８ａおよび１０２８ｂが配置されている。１０３１は撮影光束を制御するとともに、露光量の制御を兼用する絞りユニットであり、同じく鏡筒１０２９に配置されている。１０３２は鏡筒１０３０を回動させるヘリコイド部材であり、鏡筒１０３０のカム凸部１０３０ａと係合している。該ヘリコイド部材１０３２は図示しないヘリコイド駆動モータによって駆動される。上述した撮影光学系１０２８ａおよび１０２８ｂ、ならびにシャッタユニット１０３１を通った光束は、固体撮像素子１０４０上に結像する。
【００８２】
１０３７ａ、１０３７ｂ、１０３７ｃ、１０３７ｄ、１０３７ｅはファインダを構成する光学系レンズである。これらのうち１０３７ｂ、１０３７ｃ、１０３７ｄは撮影光学系の画角調整（ズーム操作）に伴って移動し、撮影光学系の画角と略同じ画角を確認することができる。この光学式ファインダは画像表示用の液晶表示板２０１４を用いることで、電力が消費されるのを防ぐ場合等に有効である。
【００８３】
絞りユニット１０３１は固体撮像素子（ＣＣＤ）１０４０の露出量をフィードバック制御によって適正に保つように駆動される。撮像された信号は、画像処理基板１０２６で処理される。処理された信号はプリンタ制御基板１０２７へ送出され、プリンタ部のインクジェットヘッドカートリッジ４００の位置制御信号等の情報と合わせて、印刷動作に必要な駆動モータ等へ伝達される。
【００８４】
プリント動作はプリントボタン２０１３によって開始され、ロール状に巻かれたプリンタ用紙１０２４からプラテン１０００を介して、プリント用紙１０２４ａが引き出されて印刷される。この記録用紙１０２４は少なくとも２種以上のサイズを装着することが可能である。１０４１は外装カバーで形成された紙カッタ部であり、印刷後のプリント用紙１０２４ａを切り離すのに用いられる。１０２５は電源である。
【００８５】
インクジェット記録方式の中でもインク吐出を行わせるために利用されるエネルギとして、熱エネルギを発生する手段（例えば電気熱変換体やレーザ光等）を備え、熱エネルギによりインクの状態変化を生起させる方式の記録ヘッド、記録装置の代表的な構成や原理については、例えば米国特許第４７２３１２９号明細書、同第４７４０７９６号明細書に開示されている基本的な原理を用いて行うのものが好ましい。この方式は特にオンデマンド型の場合には、液体（インク）が保持されているシートや液路に対して配置されている電気熱変換体に、記録情報に対応していて膜沸騰を越える急速な温度上昇を与える少なくとも１つの駆動信号を印加する。これによって電気熱変換体に熱エネルギを発生させ、記録ヘッドの熱作用面に膜沸騰させて、結果的にこの駆動信号に一対一対応し液体（インク）内の気泡を形成できるので有効である。
【００８６】
この気泡の成長、収縮により、吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成できるため、より好ましい。このパルス形状の駆動信号としては、米国特許第４４６３３５９号明細書、同第４３４５２６２号明細書に記載されているものが適している。なお、前記熱作用面の温度上昇率に関する発明の米国特許第４３１３１２４号明細書に記載されている条件を採用すると、さらに優れた記録を行うことができる。
【００８７】
記録ヘッドの構成としては、上述の各明細書に開示されているような吐出口、液路、電気熱変換体の組み合わせ構成（直線状液路または直角液流路）の他に熱作用部が屈曲する領域に配置されている構成を開示する米国特許第４５５８３３３号明細書、米国特許４４５９６００号明細書を用いた構成も本発明に含まれるものである。
【００８８】
加えて、複数の電気熱変換体に対して、共通するスリットを電気熱変換体の吐出部とする構成を開示する特開昭５９−１２３６７０号公報や、熱エネルギの圧力波を吸収する開孔を吐出部に対応させる構成を開示する特開昭５９−１３８４６１号公報に基づいた構成としても本発明は有効である。
【００８９】
さらに、記録装置部が記録できる最大記録媒体の幅に対応した長さを有するフルラインタイプの記録ヘッドとしては、上述した明細書に開示されているような複数記録ヘッドの組み合わせによって、その長さを満たす構成や、一体的に形成された１個の記録ヘッドとしての構成のいずれかでもよい。これらの構成をとることで本発明をいっそう有効に発揮することができる。
【００９０】
加えて、装置本体に装着されることで、装置本体との電気的な接続や装置本体からのインクの供給が可能になる交換自在のチップタンクの記録ヘッド、あるいは記録ヘッド自体に一体的に設けられたカートリッジタイプの記録ヘッドを用いた場合にも本発明は有効である。また、本発明の記録装置部の構成として設けられている記録ヘッドに対しての回復手段、予備的な補助手段等を付加することは、本発明の効果をさらに安定できるので好ましい。
【００９１】
これらを具体的に挙げれば、記録ヘッドに対してのキャッピング手段、クリーニング手段、加圧あるいは吸引手段、電気熱変換体あるいはこれとは別の加熱素子、あるいはこれらの組み合わせによる予備加熱手段、記録とは別に吐出を行う予備吐出モードを行うことも安定した記録を行うために有効である。さらに記録装置部の記録モードとしては、黒色等の主流色のみの記録だけではなく、記録ヘッドを一体的に構成するか複数個の組み合わせによってでもよいが、異なる色の複色カラーまたは混色によるフルカラーの少なくとも１つを備えた装置であることが極めて有効になる。
【００９２】
（その他の実施の形態）
上述した実施の形態の機能を実現するべく各種のデバイスを動作させるように、該各種デバイスと接続された装置或いはシステム内のコンピュータに対し、前記実施の形態の機能を実現するためのソフトウェアのプログラムコードを供給し、そのシステム或いは装置のコンピュータ（ＣＰＵ或いはＭＰＵ）に格納されたプログラムに従って前記各種デバイスを動作させることによって実施したものも、本発明の範疇に含まれる。
【００９３】
また、この場合、前記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００９４】
さらに、前記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９５】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００９６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００９７】
なお、前記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００９８】
【発明の効果】
以上述べたように本発明によれば、記録用紙種、プリントスタイル毎にリサイズ目標値を変えることによって、その記録用紙に最適な印刷サイズのプリントデータが生成されるのでユーザにとって使い勝手に優れている。
【００９９】
また、トリミング処理時に画像切り出し枠を記録用紙種、プリントスタイル毎にそのリサイズ目標値のアスペクト比と同じアスペクト比に設定することによって記録用紙サイズに見合ったプリントデータを生成することができる。
【０１００】
また、トリミング領域を記録用紙、プリントスタイル毎に各々のリサイズ目標値のアスペクト比と同じ枠を電子ビューファインダ等の表示手段上に表示することによってトリミング領域を視覚的にユーザが認識できるようになる。
【図面の簡単な説明】
【図１】本発明の第１の実施形態における構成を示す図である。
【図２】本発明の第１の実施形態における動作のフローチャートである。
【図３】本発明の第１の実施形態における用紙を示す図である。
【図４】本発明の第１の実施形態における結線状態を示す図である。
【図５】本発明の第１の実施形態における動作のフローチャートである。
【図６】本発明の第１の実施形態における動作のフローチャートである。
【図７】本発明の第２の実施形態におけるブロック図である。
【図８】本発明の第２の実施形態における動作のフローチャートである。
【図９】本発明の第２の実施形態における構成概要を示す図である。
【図１０】本発明の第２の実施形態における動作のフローチャートである。
【図１１】本発明の第２の実施形態における構成概要を示す図である。
【図１２】本発明の第２の実施形態における構成の中央断面図である。
【符号の説明】
１    装置本体
２    用紙カセット
３    給紙ローラ
４    搬送ローラ対
５    プラテンローラ
６    サーマルヘッド
７    インクカセット
８    インクシート
９ａ  排紙ローラ
９ｂ  排紙ローラ
１０  記録紙先端検出センサ
１１  ＳＷ２信号
１２  ミシン目
１３  一時保存画像メモリ手段
１４  印字情報メモリ手段
４１  グリップローラ
４２  ピンチローラ
１５  ガイド部
１６  余白部
１７  印画領域
１８  処理回路
１９  制御手段
２０  バネ
２１  押上げ板
２２  ヘッドアーム
２３  ヘッドカバーA
２４  ヘッドカバーB
２５  用紙搬送ガイド部
２６  排紙トレイ部
２７  ケーブル
ＤＣ  デジタルカメラ
【図１】
0004307002.tif 000002
【図２】
0004307002.tif 000003
【図３】
0004307002.tif 000004
【図４】
0004307002.tif 000005
【図５】
0004307002.tif 000006
【図６】
0004307002.tif 000007
【図７】
0004307002.tif 000008
【図８】
0004307002.tif 000009
【図９】
0004307002.tif 000010
【図１０】
0004307002.tif 000011
【図１１】
0004307002.tif 000012
【図１２】
0004307002.tif 000013